(57)【要約】【課題】太陽電池付電子時計のソーラーセルは、カレンダー表示機能を備えた時計においては、カレンダーの表示窓を有したタイプのソーラーセルを使用し、カレンダー表示機能を備えてない時計においては、カレンダーの表示窓を有してないタイプのソーラーセルを使用している。同様に、クロノグラフ等の機能を備えた多針時計も、小針取り付け軸を逃げた穴を有したソーラーセルを使用しており、各種、時計の仕様に合わせて用意しているので、ソーラーセルの種類が多くなっており、少ない種類のソーラーセルで対応可能としたことを目的とした太陽電池付電子時計を提供する。【解決手段】ソーラーセルと文字板の間に、ソーラーセルと同色調の色調補正部材を配設し、ソーラーセルのカレンダー表示窓や小針取り付け軸逃げ穴を覆って色調を補正し、時計の外観を損なうことなく、少ない種類のソーラーセルで対応可能とする。【選択図】      図１
2004245621.tif 000002
【特許請求の範囲】
【請求項１】
穴又は切り欠きを有したソーラーセルの上面に透光性を有した文字板を配設した電子時計において、ソーラーセルと文字板の間に、ソーラーセルと同色調の色調補正部材を配設し、前記ソーラーセルの穴又は切り欠きを覆ったことを特徴とする太陽電池付電子時計。
【請求項２】
前記ソーラーセルの穴又は切り欠きの一つは、カレンダー表示のための窓形状であることを特徴とする請求項１記載の太陽電池付電子時計。
【請求項３】
前記ソーラーセルの穴又は切り欠きの一つは、多針時計用の小針取り付け軸の逃げ形状であることを特徴とする請求項１記載の太陽電池付電子時計。
【発明の詳細な説明】
【０００１】
【発明の属する技術分野】
本発明は太陽電池付電子時計に関するものである。
【０００２】
【従来の技術】
一般に太陽電池付電子時計のソーラーセルは、文字等で表示するカレンダー表示機能を備えた時計においては、カレンダーの表示窓を有したタイプのソーラーセルを使用し、カレンダー表示機能を備えてない時計においては、カレンダーの表示窓を有してないタイプのソーラーセルを使用している。同様に、クロノグラフ等の機能を備えた多針時計も、小針取り付け軸を逃げた穴を有したソーラーセルを使用しており、時計に付加される機能に対応した形のソーラーセルを使用している。
【０００３】
以下に従来のカレンダー表示機能を備えた太陽電池付電子時計の概略構造を図面を用いて説明する。図７は、太陽電池付電子時計の要部平面図であり、図８は、図７の要部断面図である。ムーブメント５はガラス２と一体となっているケース１の中に収納され、裏蓋３により押圧固定されており、外部操作部材のリューズ４は、ケース１にガイドされ、ムーブメント５内に構成されている輪列群（図示せず）を回転させ、指針群９を修正可能としている。ソーラーセル６は、発電寄与部分が４分割されて十字状の境界線を形成し、窓６ａを有している。文字板８は、ソーラーセル６の上側に設定された、文字板８とソーラーセル６との密着による干渉縞の発生を防止するための隙間６ｂの上に配設され、ソーラーセル６と同様に窓８ａを有し、日板７の文字７ａを表示している。
【０００４】
上記のような太陽電池付電子時計に関しては、従来より、出願を見るところである。（例えば特許文献１参照）
【０００５】
【特許文献１】
特開２００２−９０４７５号公報（第２−５頁、第６図、第８図）
【０００６】
【発明が解決しようとする課題】
しかしながら上記の様な場合、各種、時計の仕様に合わせてソーラーセルを用いているため、ソーラーセルの種類が増えてコストアップとなっており、更には、ソーラーセルの種類が多いことにより、部品管理やアフターサービスでの取り扱いにおいても、負荷が増していた。
【０００７】
本発明は以上の様な従来の問題点を解消し、少ない種類のソーラーセルで各種機能を有した時計に対応可能な太陽電池付電子時計を提供することを目的としている。
【０００８】
【課題を解決するための手段】
上記目的を達成するために本発明の要旨は、請求項１記載の構成として、穴又は切り欠きを有したソーラーセルの上面に透光性を有した文字板を配設した電子時計において、ソーラーセルと文字板の間に、ソーラーセルと同色調の色調補正部材を配設し、前記ソーラーセルの穴又は切り欠きを覆ったことを特徴としている。請求項２記載の構成は、前記ソーラーセルの穴又は切り欠きの一つは、カレンダー表示のための窓形状であることを特徴としている。請求項３記載の構成は、前記ソーラーセルの穴又は切り欠きの一つは、多針時計用の小針取り付け軸の逃げ形状であることを特徴としている。
【０００９】
【発明の実施の形態】
以下に本発明の第１の実施形態を図面に基づいて説明する。
図１は、本発明の請求項１または請求項２記載の発明に係る、カレンダー表示機能を備えてない太陽電池付電子時計のムーブメントの要部平面図であり、図２は、図１のＡ−Ａ断面図である。図３は、本発明の請求項１記載の発明に係る色調補正部材の平面図である。
【００１０】
ソーラーセル２６は、カレンダー表示機能を備えた太陽電池付電子時計に用いられるソーラーセルであり、発電寄与部分が４分割されて十字状の境界線を形成し、指針軸２４を逃げた指針軸逃げ穴２６ｅとカレンダーを表示するための窓２６ｄ及び位置決め用の切り欠き部２６ａ、２６ｂ、２６ｃを有し、ムーブメント２５の上面に突出し文字板（図示せず）の位置決めも兼用するボス２５ａ、２５ｂ、２５ｃによって平面位置決めされ、ムーブメント２５の上面に配設されている。
【００１１】
色調補正部材３０は、透光性を有した素材でソーラーセル２６と同色調の濃紫色であり、文字板と密着した際に発生する干渉縞を防ぐため、表面が凹凸状に形成された梨地状となっている。本実施例では色調補正部材３０を梨地状としているが、替わりに文字板の裏側を梨地状としても、干渉縞を防ぐ効果が得られる。
【００１２】
色調補正部材３０は、指針軸２４を逃げた指針軸逃げ穴３０ｑと、ムーブメント２５のボス２５ａ、２５ｂ、２５ｃへの位置決め穴３０ａ、３０ｂ、３０ｃ及び、ソーラーセル２６内の発電寄与部分の境界部を覆い、ソーラーセル２６内の発電寄与部分と境界との色調を補正するための腕部３０ｄ、３０ｅ、３０ｆ、３０ｇを有し、腕部３０ｄには、ソーラーセル２６の窓２６ｄを覆い、窓２６ｄとソーラーセル２６内の発電寄与部分の色調を補正する覆い部３０ｈが形成されている。
【００１３】
更には、カレンダー表示機能を備えた太陽電池付電子時計にも流用可能としているため、第２の位置決め穴３０ｉ、３０ｊ、３０ｋ及び第２の腕部３０ｌ、３０ｍ、３０ｎ、３０ｏを有し、第２の腕部３０ｌには窓部３０ｐが形成され、カレンダーの表示を可能とした構成となって、ソーラーセル２６の上に配設されている。
【００１４】
カレンダー表示機能を備えた太陽電池付電子時計に色調補正部材３０を流用する場合は、色調補正部材３０を４５度右回転させて、第２の位置決め穴３０ｉ、３０ｊ、３０ｋがムーブメント２５のボス２５ａ、２５ｂ、２５ｃに合う様に組み込む。これにより、カレンダー表示機能を備えた太陽電池付電子時計では、窓部３０ｐによって、カレンダーを表示することが可能となり、第２の腕部３０ｌ、３０ｍ、３０ｎ、３０ｏによって、ソーラーセル２６内の発電寄与部分と境界との色調を補正することが可能となり、時計の外観を損なうことがなくなる。
【００１５】
色調補正部材３０は、カレンダー表示機能を備えた太陽電池付電子時計にも流用可能としているが、カレンダー表示機能を備えてない太陽電池付電子時計専用としても良く、この場合、第２の腕部が廃止可能となるため、ソーラーセルの発電効率を減少させることが無くなるなどの効果が得られる。
【００１６】
図４は、本発明の第２の実施形態で請求項３記載の発明に係る、クロノグラフ機能等が無く、小針を備えてない太陽電池付電子時計のムーブメントの要部平面図であり、図５は、図４のＢ−Ｂ断面図である。図６は、本発明の請求項３記載の発明に係る色調補正部材の平面図である。
【００１７】
ソーラーセル４６は、クロノグラフ機能等を搭載した、小針を備えた太陽電池付電子時計に用いられるソーラーセルであり、指針軸４４を逃げた指針軸逃げ穴４６ｈと小針取り付け軸を逃げた逃げ穴４６ｄ、４６ｅ、４６ｆ、４６ｇ及び、位置決め用の切り欠き部４６ａ、４６ｂ、４６ｃを有し、ムーブメント４５の上面に突出し文字板（図示せず）の位置決めも兼用するボス４５ａ、４５ｂ、４５ｃによって平面位置決めされ、ムーブメント４５の上面に配設されている。
【００１８】
色調補正部材５０は、透光性を有した素材でソーラーセル４６と同色調の濃紫色であり、文字板と密着した際に発生する干渉縞を防ぐため、表面が凹凸状に形成された梨地状となっている。本実施例では色調補正部材５０を梨地状としているが、替わりに文字板の裏側を梨地状としても、干渉縞を防ぐ効果が得られる。
【００１９】
まず、クロノグラフ機能等が無く、小針を備えてない場合について説明する。色調補正部材５０は、指針軸４４を逃げた指針軸逃げ穴５０ｑと、ムーブメント４５のボス４５ａ、４５ｂ、４５ｃへの位置決め穴５０ａ、５０ｂ、５０ｃ及び、ソーラーセル４６の小針取り付け軸を逃げた逃げ穴４６ｄ、４６ｅ、４６ｆ、４６ｇを覆い、逃げ穴４６ｄ、４６ｅ、４６ｆ、４６ｇとソーラーセル４６内の発電寄与部分との色調を補正するための覆い部５０ｖ、５０ｗ、５０ｘ、５０ｙを有し、ソーラーセル４６内の発電寄与部分と境界との色調を補正するための腕部５０ｄ、５０ｅ、５０ｆ、５０ｇが形成されている。
【００２０】
更には、クロノグラフ機能等を搭載した、小針を備えた太陽電池付電子時計にも流用可能としているため、第２の位置決め穴５０ｉ、５０ｊ、５０ｋ及び小針取り付け軸逃げ穴５０ｒ、５０ｓ、５０ｔ、５０ｕを有した第２の腕部５０ｌ、５０ｍ、５０ｎ、５０ｏが形成された構成となって、ソーラーセル４６の上に配設されている。
【００２１】
クロノグラフ機能等を搭載した、小針を備えた太陽電池付電子時計に色調補正部材５０を流用する場合は、色調補正部材５０を４５度右回転させて、第２の位置決め穴５０ｉ、５０ｊ、５０ｋがムーブメント４５のボス４５ａ、４５ｂ、４５ｃに合う様に組み込む。これにより、クロノグラフ機能等を搭載した、小針を備えた太陽電池付電子時計では、ソーラーセル４６内の発電寄与部分と境界との色調を補正し、時計の外観を損なうことがなくなる。
【００２２】
色調補正部材５０は、クロノグラフ機能等を搭載した、小針を備えた太陽電池付電子時計にも流用可能としているが、クロノグラフ機能等が無く、小針を備えてない太陽電池付電子時計専用としても良く、この場合、第２の腕部が廃止可能となるため、ソーラーセルの発電効率を減少させることが無くなるなどの効果が得られる。
【００２３】
【発明の効果】
以上の様に本発明によれば、カレンダー表示機能を備えてない太陽電池付電子時計に、例えばカレンダー表示窓を有したソーラーセルを使用した場合や、例えばクロノグラフ機能を備えてない太陽電池付電子時計に小針逃げ穴を有したソーラーセルを使用した場合においても、色調補正部材によって時計の外観を損なうことがなくなり、少ない種類のソーラーセルで、各種、仕様の異なる時計に対応することが可能となるため、コストダウンの効果が得られる。更には、ソーラーセルの種類が少なくなることにより、部品管理やアフターサービスでの取り扱いにおいても、負荷が低減されるの効果が得られる。
【図面の簡単な説明】
【図１】本発明の請求項１または請求項２記載の発明に係る、カレンダー機能を備えてない太陽電池付電子時計のムーブメントの要部平面図である。
【図２】本発明の図１のＡ−Ａ断面図である。
【図３】本発明の請求項１記載の発明に係る色調補正部材の平面図である。
【図４】本発明の第２の実施形態で請求項３記載の発明に係る、クロノグラフ機能を備えた太陽電池付電子時計のムーブメントの要部平面図である。
【図５】本発明の図４のＢ−Ｂ断面図である。
【図６】本発明の請求項３記載の発明に係る色調補正部材の平面図である。
【図７】従来のカレンダー機能を備えた太陽電池付電子時計の要部平面図である。
【図８】図７の要部断面図である。
【符号の説明】
１  ケース
２  ガラス
３  裏蓋
４  リューズ
５、２５、４５  ムーブメント
６、２６、４６  ソーラーセル
７  日板
８  文字板
９  指針群
３０、５０  色調補正部材
【図１】
2004245621.tif 000003
【図２】
2004245621.tif 000004
【図３】
2004245621.tif 000005
【図４】
2004245621.tif 000006
【図５】
2004245621.tif 000007
【図６】
2004245621.tif 000008
【図７】
2004245621.tif 000009
【図８】
2004245621.tif 000010